【手続補正書】
【提出日】平成26年10月8日(2014.10.8)
【手続補正１】
【補正対象書類名】特許請求の範囲
【補正対象項目名】全文
【補正方法】変更
【補正の内容】
【特許請求の範囲】
【請求項１】
遊技者の操作によって遊技球が打ち込まれる遊技領域と、
前記遊技領域に配置された入球口と、
開閉部材を有し、この開閉部材を閉状態とすることにより所定の保持領域内に前記入球口から入球した前記遊技球を保持する可動部材と、
前記開閉部材が開状態となることで前記保持領域内から送られた遊技球を排出口まで誘導する誘導路と、
前記排出口を通じて排出される遊技球が受け入れられる球受部が複数形成された、遊技状態に応じて回動する回動体と、
前記回動体が回動する態様および前記保持領域内に保持された前記遊技球が誘導される前記複数の球受部のいずれか一つである目標球受部の種類が設定された複数の動作パターンを含む動作データに基づき、前記複数の動作パターンのうちのいずれか一つの動作パターンを抽選する抽選手段と、備え、
前記抽選手段によって設定された前記動作パターンに基づき前記保持領域内に保持された前記遊技球が前記誘導路を経由して前記目標球受部に誘導されるタイミングで前記開閉部材を前記閉状態から前記開状態とするように構成されていることを特徴とする遊技機。
【請求項２】
前記抽選手段は、前記保持領域内に保持された前記遊技球の前記動作パターンと、前記保持領域内に新たに入球する次の遊技球の前記動作パターンを同時に抽選することで、前記遊技球が誘導される前記目標球受部とは異なる目標球受部に前記次の遊技球が誘導されるように設定することを特徴とする請求項１に記載の遊技機。
【請求項３】
前記目標球受部が前記回動体の回動に伴って所定の位置から前記排出口を通じて排出される前記遊技球を受け入れ可能な位置まで回動するのに要する時間として予め設定された時間を時間Ａとし、前記開閉部材が前記開状態となることで前記保持領域内から送られた前記遊技球が前記誘導路を経由し前記排出口を通じて前記目標球受部まで誘導されるのに要する時間として予め設定された時間を時間Ｂとし、
前記時間Ａと前記時間Ｂとを演算した時間に基づいた時間を開放時間として設定し、前記目標球受部が前記所定の位置から回動し始めたときから前記開放時間を経過したときに前記開閉部材を前記閉状態から前記開状態とすることで、前記保持領域内から送られた前記遊技球が前記誘導路を経由し前記排出口を通じて前記遊技球を受け入れ可能な位置まで回動した目標球受部に誘導されるように構成されていることを特徴とする請求項１または請求項２に記載の遊技機。
【手続補正２】
【補正対象書類名】明細書
【補正対象項目名】０００６
【補正方法】変更
【補正の内容】
【０００６】
上記課題を解決するためになされた請求項１の発明にかかる遊技機は、遊技者の操作によって遊技球が打ち込まれる遊技領域と、前記遊技領域に配置された入球口と、開閉部材を有し、この開閉部材を閉状態とすることにより所定の保持領域内に前記入球口から入球した前記遊技球を保持する可動部材と、前記開閉部材が開状態となることで前記保持領域内から送られた遊技球を排出口まで誘導する誘導路と、前記排出口を通じて排出される遊技球が受け入れられる球受部が複数形成された、遊技状態に応じて回動する回動体と、前記回動体が回動する態様および前記保持領域内に保持された前記遊技球が誘導される前記複数の球受部のいずれか一つである目標球受部の種類が設定された複数の動作パターンを含む動作データに基づき、前記複数の動作パターンのうちのいずれか一つの動作パターンを抽選する抽選手段と、備え、前記抽選手段によって設定された前記動作パターンに基づき前記保持領域内に保持された前記遊技球が前記誘導路を経由して前記目標球受部に誘導されるタイミングで前記開閉部材を前記閉状態から前記開状態とするように構成されているところに特徴を有する。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
請求項２に記載の発明は、請求項１に記載の発明において、前記抽選手段は、前記保持領域内に保持された前記遊技球の前記動作パターンと、前記保持領域内に新たに入球する次の遊技球の前記動作パターンを同時に抽選することで、前記遊技球が誘導される前記目標球受部とは異なる目標球受部に前記次の遊技球が誘導されるように設定するところに特徴を有する。
請求項３に記載の発明は、請求項１または請求項２に記載の発明において、前記目標球受部が前記回動体の回動に伴って所定の位置から前記排出口を通じて排出される前記遊技球を受け入れ可能な位置まで回動するのに要する時間として予め設定された時間を時間Ａとし、前記開閉部材が前記開状態となることで前記保持領域内から送られた前記遊技球が前記誘導路を経由し前記排出口を通じて前記目標球受部まで誘導されるのに要する時間として予め設定された時間を時間Ｂとし、前記時間Ａと前記時間Ｂとを演算した時間に基づいた時間を開放時間として設定し、前記目標球受部が前記所定の位置から回動し始めたときから前記開放時間を経過したときに前記開閉部材を前記閉状態から前記開状態とすることで、前記保持領域内から送られた前記遊技球が前記誘導路を経由し前記排出口を通じて前記遊技球を受け入れ可能な位置まで回動した目標球受部に誘導されるように構成されているところに特徴を有する。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】変更
【補正の内容】
【００１７】
請求項１に記載の発明のように、複数の動作パターンのうちから選択された一つの動作パターンを抽選によって選択し、遊技球が設定された目標球受部に誘導されるようにすれば、演出の制御が容易である。
請求項２に記載の発明のように動作パターンを選択することで、次の遊技球を前の遊技球とは異なる球受部に入球させることが可能となる。例えば、前の遊技球をそのまま球受部に保持させた状態で、次の遊技球を用いた演出を実行することができる構成であれば、同じ球受部に続けて遊技球が誘導されることを防止することが可能となる。
請求項３に記載の発明によれば、遊技球が受け入れ可能な位置まで目標球受部が回動するのに要する時間（時間Ａ）および遊技球が所定の誘導路を通って目標球受部まで誘導される時間（時間Ｂ）に基づいて、遊技球を誘導路に送るタイミングを算出するから、確実に目標球受部に遊技球を入球させることが可能となる。
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】